(57)【要約】【課題】通気性に優れた包装用容器を提供する。【解決手段】鍔状の本体フランジ部を設けた容器本体１０と、鍔状の蓋フランジ部を設けていて蓋フランジ部が本体フランジ部に重なるよう容器本体１０に被さる蓋体２０と、を備えた包装用容器１であって、蓋体２０が容器本体１０に被さった状態で、蓋フランジ部の相対する位置に設けられていて容器内側から容器外側へ通じる通気部４０と、さらに通気部を除いて蓋フランジ部に沿って設けられていて蓋体２０を容器本体１０に着脱自在に固定する固定部と、を備えている。【選択図】図１１
2019048654.tif 000002
【特許請求の範囲】
【請求項１】
鍔状の本体フランジ部を設けた容器本体と、鍔状の蓋フランジ部を設けていて上記蓋フランジ部が上記本体フランジ部に重なるよう上記容器本体に被さる蓋体と、を備えた包装用容器であって、
上記蓋体が上記容器本体に被さった状態で、上記蓋フランジ部の相対する位置に設けられていて容器内側から容器外側へ通じる通気部と、さらに上記通気部を除いて上記蓋フランジ部に沿って設けられていて上記蓋体を上記容器本体に着脱自在に固定する固定部と、を備えたことを特徴とする、包装用容器。
【請求項２】
上記蓋体が深絞りに形成されていることを特徴とする、請求項１に記載の包装用容器。
【請求項３】
上記蓋体がヒンジ部を介して上記容器本体につながっていることを特徴とする、請求項１又は請求項２に記載の包装用容器。
【請求項４】
鍔状の本体フランジ部を設けた容器本体と、鍔状の蓋フランジ部を設けていて上記蓋フランジ部が上記本体フランジ部に重なるよう上記容器本体に被さる蓋体と、上記容器本体と上記蓋体とをつなぐヒンジ部とを備えた包装用容器であって、
上記ヒンジ部は、上記本体フランジ部と上記蓋フランジ部とを分ける切断部と上記本体フランジ部から上記蓋フランジ部まで延びて上記容器本体と上記蓋体とをつなぐ接続部とが破線状に交互に並んで構成されていることを特徴とする、包装用容器。
【請求項５】
立ち上がり更に横に延びていて前後に並んだ一対の側面部と、立ち上がり更に縦に延びていて左右に並んだ他の一対の側面部とを備えた包装用容器であって、
上記一対の側面部は、異なる方向を向いた非凹凸部が横へ更に上下へと複数つながって、凹凸状に形成され、
さらに、上記他の一対の側面部は、異なる方向を向いた非凹凸部が縦へ更に上下へと複数つながって、凹凸状に形成されていることを特徴とする、包装用容器。
【請求項６】
上記非凹凸部が三角形状の平滑な面に形成されていて、
上記側面部では、隣接する上記非凹凸部の間で線状に延びた筋部が、上記筋部につながる他の筋部を延長させた位置から外れて設けられていることを特徴とする、請求項５に記載の包装用容器。
【請求項７】
上記一対の側面部と上記他の一対の側面部とがつながる角部は、異なる方向を向いた非凹凸部が横へ或いは縦へ更に上下へと複数つながって形成されていることを特徴とする、請求項５又は請求項６に記載の包装用容器。
【請求項８】
上記容器本体と、上記容器本体に被さる上記蓋体と、を備え、
上記側面部が上記蓋体に設けられていることを特徴とする、請求項５から請求項７の何れかに記載の包装用容器。
【発明の詳細な説明】
【技術分野】
【０００１】
本発明はプラスチック製の包装用容器の構造に関する。
【背景技術】
【０００２】
青果物の包装として包装用容器を用いた際、空気が内側に留まると、状況に応じて水滴が底に溜まったり、内面が曇ったりすることがある。従来の包装用容器では、青果物などを入れる容器本体と、その上に被せる蓋体とを備えたものでは、内側から外側へ通じる通気部を備えたものが知られている。
【０００３】
特許文献１に開示のグレープフルーツ用容器は、四つの収容部を備え、各収容部が一つのグレープフルーツを入れることができるように形成されている。また、このグレープフルーツ用容器は、容器本体と、この容器本体にヒンジ部を介してつながっていて容器本体に被さる蓋部とを備えており、蓋をした状態で各収容部と通気部とが構成される。グレープフルーツを収容部に入れた状態で、空気等が通気部を介して収容部の内外を流通する。
【先行技術文献】
【特許文献】
【０００４】
【特許文献１】登録実用新案第３０２３５０３号公報
【発明の概要】
【発明が解決しようとする課題】
【０００５】
特許文献１では、グレープフルーツを一つ入れる収容部に通気部を一つ設けると共に、底部やその上の天面部に穴を設けている。青果物などの食料品の包装用容器として、食料品を置く底部やその上の天面部に穴を設けずに、効果的に通気を行うことが望ましい。
【０００６】
そこで、本発明は、通気性に優れた包装用容器を提供することを目的とする。
【課題を解決するための手段】
【０００７】
本発明は、鍔状の本体フランジ部を設けた容器本体と、鍔状の蓋フランジ部を設けていて上記蓋フランジ部が上記本体フランジ部に重なるよう上記容器本体に被さる蓋体と、を備えた包装用容器である。上記包装用容器は、上記蓋体が上記容器本体に被さった状態で、上記蓋フランジ部の相対する位置に設けられていて容器内側から容器外側へ通じる通気部と、さらに上記通気部を除いて上記蓋フランジ部に沿って設けられていて上記蓋体を上記容器本体に着脱自在に固定する固定部と、を備えている。
【０００８】
さらに本発明の包装用容器では、上記蓋体が深絞りに形成されたり、上記蓋体がヒンジ部を介して上記容器本体につながって構成されてもよい。
【発明の効果】
【０００９】
本発明によれば、蓋をした状態で蓋フランジ部の相対する位置にそれぞれ通気部を備えていることで、効果的に通気を行うことができる。これにより、例えば水滴が蓋体の内面に付着することを抑えて、ぶどうに対する視認性を良好に保つことができ、また透明に構成されたものであれば曇りを防止して、顧客に容器内側へ入れたぶどうなどの食料品を見映え良く見せることができる。
【図面の簡単な説明】
【００１０】
【図１】（ａ）は本発明の実施形態の包装用容器を示す正面図であり、（ｂ）は本発明の実施形態の包装用容器を示す背面図である。
【図２】（ａ）は本発明の実施形態の包装用容器を示す左面図であり、（ｂ）は本発明の実施形態の包装用容器を示す右面図である。
【図３】（ａ）は本発明の実施形態の包装用容器を示す平面図であり、（ｂ）は本発明の実施形態の包装用容器を示す底面図である。
【図４】（ａ）は図１の包装用容器の開蓋状態を示す正面図であり、（ｂ）は（ａ）の包装用容器を示す平面図である。
【図５】（ａ）は図１（ａ）のＡ−Ａ線に沿った包装用容器の断面図であり、（ｂ）は図２（ａ）のＢ１−Ｂ１線に沿った包装用容器の断面図である。
【図６】図４（ｂ）のＣ−Ｃ線に沿った包装用容器の断面図である。
【図７】（ａ）と（ｂ）とは図１（ａ）の包装用容器の凹凸面を説明するための図である。
【図８】（ａ）は図７（ｂ）のＤ１−Ｄ１線とＤ２−Ｄ２線とに沿った包装用容器の一部の断面図であり、（ｂ）は図７（ｂ）のＤ３−Ｄ３線に沿った包装用容器の断面図である。
【図９】（ａ）は図５（ａ）に示す包装用容器の断面の一部を拡大して表す図であり、（ｂ）は図２（ａ）のＢ２−Ｂ２線に沿った包装用容器の断面図であり、（ｃ）は図２（ａ）のＢ３−Ｂ３線に沿った包装用容器の断面図である。
【図１０】（ａ）〜（ｄ）は本発明の包装用容器の蓋を閉じる手順を説明するための図である。
【図１１】本発明の包装用容器の使用状態を示す参考図である。
【発明を実施するための形態】
【００１１】
図１の（ａ）と（ｂ）は本発明の包装用容器１の正面図と背面図であり、図２の（ａ）と（ｂ）は包装用容器１の左側面図と右側面図であり、図３の（ａ）と（ｂ）は包装用容器１の平面図と底面図である。図４は開蓋状態の包装用容器１を示し、（ａ）が正面図であり（ｂ）が平面図である。図５の（ａ）は図１（ａ）のＡ−Ａ線に沿った包装用容器１の断面図であり、（ｂ）は図２（ａ）のＢ１−Ｂ１線に沿った包装用容器１の断面図である。包装用容器１は、底が浅い皿型の容器本体１０と、この容器本体１０と比べて深絞りによって高く形成されていて容器本体１０に被さる蓋体２０と、を備えている。
【００１２】
容器本体１０は、底部１１０と、底部１１０の周縁から立ち上った側面部（以下、本体側面部１２０と呼ぶ。）と、底部１１０の上で開いた口まわりで外側へ鍔状に延びたフランジ部（以下、本体フランジ部１３０と呼ぶ。）と、を備えている。
【００１３】
底部１１０は、平面視で縦長の矩形型に形成されており、輪郭が、横に延びた前縁と、前縁から後方へ距離を置いて横に延びた後縁と、前縁と後縁の左端をつなぐように縦に延びた左縁と、前縁と後縁の右端をつなぐように縦に延びた右縁と、が連なって構成されている。また、底部１１０では、周縁側がカウンターなどに当たる周縁領域部１１１を構成し、周縁領域部１１１より内側の領域が上方へずれた位置に保持され縦横に広がる平らな中央領域部１１２を構成する。
【００１４】
本体側面部１２０は、その高さの寸法が底部１１０の縦や横と比べて小さく設定されている。本体側面部１２０は、その上端で底部１１０の上に開けた口を構成し、口は平面視で底部１１０の輪郭同様の縦長の矩形型を成す。
【００１５】
本体側面部１２０は、所定の高さで底部１１０側に戻る折り返し部１２５を備えている。折り返し部１２５は、容器内側を臨む内壁形成部１２１から外側へ延びて最も高い部分を構成する頂部１２５Ａと、この頂部１２５Ａから下方へ延びて容器外側を臨む外壁形成部１２５Ｂと、を備えている。折り返し部１２５は、後述するように、一部を除いて高さを揃えて形成され、口に沿って平面視で縦長の枠状に配置されている。
【００１６】
本体フランジ部１３０は、外壁形成部１２５Ｂの下端から外側へ突き出て縁を形成する。縁は、平面視で底部１１０の輪郭同様の縦長の矩形型を成す。折り返し部１２５が、本体フランジ部１３０より上に突き出る部分として構成されている。
【００１７】
蓋体２０は、天面部２１０と、天面部２１０の周縁から下に延びた側面部（以下、蓋側面部２２０と呼ぶ。）と、天面部２１０の下方で開いた口まわりで外側へ鍔状に延びたフランジ部（以下、蓋フランジ部２３０と呼ぶ。）と、を備えている。
【００１８】
天面部２１０は、全体が平坦に形成されている。天面部２１０の輪郭は、横に延びた前縁と、前縁から後方へ距離を置いて横に延びた後縁と、前縁と後縁の左端をつなぐように縦に延びた左縁と、前縁と後縁の右端をつなぐように縦に延びた右縁と、が枠型に連なって構成されて、平面視で縦長の矩形型に形成されている。
【００１９】
蓋側面部２２０は、上端側と下端側とにそれぞれ設けた段差形成部２２１，２２２と、これらの段差形成部２２１，２２２の間に設けられていて段差形成部２２１，２２２と比べて外側へ臨む広い面を形成する外側対向部２２３と、を備えている。
【００２０】
上の段差形成部２１１が天面部２１０の周縁から下方へ延びて形成されている。段差形成部２２１は、二つの段差を構成し、下の段差が上の段差より大きく設定されている。
【００２１】
外側対向部２２３は、段差形成部２２１から下方へ延びており、下端を揃えている。外側対向部２２３は、天面部２１０の前縁に沿った前壁部２２０Ｆと、天面部２１０の後縁に沿った後壁部２２０Ｂと、天面部２１０の左縁に沿った左壁部２２０Ｌと、天面部２１０の右縁に沿った右壁部２２０Ｒと、を備え、これらの隣り合うものがつながって外側へ張り出す角部２２０Ｃを構成している。
【００２２】
下の段差形成部２２２は外側対向部２２３の下端から外側へ延びさらに下方へ延びている。段差形成部２２２は、図６に示すように、外側対向部２２３から外側へ延びた水平延長部２２２Ａと、この水平延長部２２２Ａから下方へ延びた下方延長部２２２Ｂと、を備えて、外側対向部２２３の下端から外側へ張り出す角を構成する。段差形成部２２２は、上の段差形成部２２１と同様に、平面視で縦長の矩形の枠状に配置されていて、天面部２１０の下で開いた蓋体２０の口を構成する。この口は天面部２１０より大きく形成されている。なお、段差形成部２２２は、一部を除いて口まわりで角の断面形状が同じに設定されている。
【００２３】
蓋フランジ部２３０は、蓋側面部２２０の端から外側へ突き出て縁を形成する。縁は、平面視で天面部２１０の輪郭同様の縦長の矩形型を成す。
【００２４】
このように蓋体２０は、広い側面を備えて下方に天面部２１０より大きな口を開けた形態を成す。なお、図４は開蓋状態を表していて、蓋体２０は表裏を反転した姿勢で設けられている。さらに本実施形態の包装用容器１では、蓋側面部２２０で広い面を成す外側対向部２２３が凹凸状に形成されている。以下、凹凸形状について、前壁部２２０Ｆを例に挙げて説明する。
【００２５】
（蓋側面部２２０の外側対向部２２３の凹凸形状）
前壁部２２０Ｆでは、上端から下端までに亘って前方を臨む領域が、複数の非凹凸部２０２によって形成されている。非凹凸部２０２は、平滑な面を成し外形を三角型に形成されている。複数の非凹凸部２０２が前壁部２２０Ｆで高さ方向と横方向とに複数つながっている。
【００２６】
図７（ａ）は、蓋体２０の前壁部２２０Ｆを示す正面図であり、斜線を一つの非凹凸部２０２に付して表している。隣り合う非凹凸部２０２は、三角をかたどる縁の内、直線を成す辺でつながる。この辺が蓋側面部２２０に筋状に現れる。以下、蓋側面部２２０を構成する辺を筋部２０２Ａと呼ぶ。筋部２０２Ａの両端の頂点２０２Ｂも隣接する非凹凸部２０２で位置を合わせている。なお、隣接する非凹凸部２０２では、非凹凸部２０２が成す面はそれぞれ異なる方向を向いている。
【００２７】
頂点２０２Ｂでつながる複数の筋部２０２Ａは、他の筋部２０２Ａを延長させた位置から外れて設けられ、さらに容器外側へ張り出す山部或いは容器内側へ窪む谷部として互いにつながって、複数の非凹凸部２０２が立体構成部として立体面を構成する。例えば、図示の斜線を付した四つの非凹凸部２０２はそれらの中央の頂点を張り出させた四角錐状の立体面を構成している。また、符号ｖ１〜ｖ５を付す筋部２０２Ａで囲われる領域も外側へ張り出す四角錐状の立体面を構成している。蓋体２０は例えばダイヤモンドのように、立体構成部が外側対向部２２３の周方向に複数並んでいる。このような立体構成部が外側対向部２２３の周方向に規則的に配置されるよう、山部と谷部、また非凹凸部２０２が設けられている。
【００２８】
後壁部２２０Ｂと左壁部２２０Ｌと右壁部２２０Ｒは、前壁部２２０Ｆと同様に、上端から下端までに亘って外側を臨む領域が、複数の非凹凸部２０２によって凹凸状に形成されている。なお、左壁部２２０Ｌと右壁部２２０Ｒでは、非凹凸部２０２が高さ方向と縦方向とに複数つながって形成されている。
【００２９】
蓋側面部２２０の内、外側へ張り出す四つの角部２２０Ｃも、横或いは縦へさらに高さ方向に複数の非凹凸部２０２がつながって凹凸状に形成されており、蓋側面部２２０では、図８（ｂ）に示すように周方向全体に亘って非凹凸部２０２がつながって凹凸面として構成されている。なお、複数の非凹凸部２０２の内、一部が半円や矩形など非三角型で平滑な領域として形成されてもよい。
【００３０】
（ヒンジ構造）
包装用容器１では、蓋体２０がヒンジ部３０を介して容器本体１０と分離可能につながっており、ヒンジ部３０は、蓋体２０の縁の一方の長辺側と容器本体１０の縁の一方の長辺側との間に設けられている。ヒンジ部３０は、図４（ｂ）に示すように本体フランジ部１３０と蓋フランジ部２３０とを分ける切れ込みで成る切断部３１と本体フランジ部１３０から蓋フランジ部２３０まで延びて容器本体１０と蓋体２０とをつなぐ接続部３２とが破線状に交互に並んで構成されており、本体フランジ部１３０の長辺に沿って真っ直ぐ縦に延びている。縦方向に沿った寸法では、切断部３１が接続部３２より長く設けられている。
【００３１】
（固定部）
蓋体２０は、蓋フランジ部２３０が容器本体１０の本体フランジ部１３０に重なるよう容器本体１０に被せて、包装用容器１を蓋することができる。このように蓋をした状態を維持するために、包装用容器１は蓋体２０を容器本体１０の口に取り付ける固定部を備えている。固定部は、外嵌合式に構成されていて、容器本体１０の口まわりに設けた嵌合部１５と、蓋体２０の口まわりに設けた嵌合部２５と、を備えている。
【００３２】
容器本体１０側では、容器本体１０の高い部分として、折り返し部１２５が嵌合部１５を構成する。蓋体２０側では、蓋体２０の低い部分として、段差形成部２２２の水平延長部２２２Ａと下方延長部２２２Ｂとが嵌合部２５を構成し、容器本体１０側の折り返し部１２５に被着する。蓋体２０を容器本体１０に被せる際、容器本体１０側で上方に突き出る折り返し部１２５が蓋体２０の口に入り、その外壁部１２１Ｃが蓋体２０の内面を成す下方延長部２２２Ｂに密着して、蓋体２０を容器本体１０に固定する。
【００３３】
（通気部）
包装用容器の蓋をした状態で容器本体１０と蓋体２０とが食料品を入れる空間、つまり容器内側を構成する。包装用容器１は、蓋をした状態で、容器本体１０の本体フランジ部１３０と蓋体２０の蓋フランジ部２３０で、相対する位置に空気などを流通させるための通気部４０を備えている。図３（ａ）では、通気部４０は、縦長の矩形型の蓋フランジ部２３０の内、横に延びる前と後の短辺側にそれぞれ設けられている。
【００３４】
通気部４０は、図５（ａ）に示すように、容器内側から容器外側へ向けて水平に延びた流路として構成されている。本実施形態では、通気部４０は、容器本体１０に設けられた流路下側形成部４１０と、蓋体２０に設けられた流路上側形成部４２０と、から構成されている。
【００３５】
図９（ａ）は図５（ａ）で左側の通気部４０周辺の拡大図であり、容器本体１０の流路下側形成部４１０は、容器内側に寄せて設けられるＵ字断面部４１１と、このＵ字断面部４１１を延長させた外側位置に設けられる水平断面部４１２とから構成されている。図９（ｂ）は図２（ａ）のＢ２−Ｂ２線に沿った通気部４０周辺の断面図であり、Ｕ字断面部４１１は、流路底４１１Ａと流路底４１１Ａの両端から上に延びた流路横壁４１１Ｂ，４１１Ｃとで上方を開けて、全長に亘って断面をＵ字型に構成されている。図９（ｃ）は図２（ａ）のＢ３−Ｂ３線に沿った通気部４０周辺の断面図であり、水平断面部４１２は、Ｕ字断面部４１１と異なり全体が横に延びた形状である。なお、図９（ａ）に示す構成例では、水平断面部４１２がＵ字断面部４１１より低い位置に設けられているが、高さをそろえてもよい。
【００３６】
流路下側形成部４１０は、容器本体１０の高い部分を構成する箇所に設けられており、本体側面部１２０の上端側から本体フランジ部１３０の縁へ亘って形成されている。具体的には、Ｕ字断面部４１１は、図４（ａ）に示すように、容器本体１０で上に突き出る折り返し部１２５の一部を低くして形成されていて、水平断面部４１２は、低い折り返し部１２５から外側で延びた本体フランジ部１３０で構成されている。なお、図９（ａ）に示す構成例では、本体フランジ部１３０がＵ字断面部４１１の端から下方にずれて外側へ延びているが、本体フランジ部１３０は流路底４１１Ａを延長させた位置に設けられてもよい。
【００３７】
蓋体２０の流路上側形成部４２０は、図９（ａ）に示すように、容器内側に寄せて設けられる水平断面部４２１と、この水平断面部４２１を延長させた外側位置に設けられるＵ字断面部４２２とから構成されている。水平断面部４２１は、図９（ｂ）に示すように全体が横に延びた形状であり、流路底４１１の上で広がる流路の天井（以下、流路天井と呼ぶ。）を構成する。Ｕ字断面部４２２は、図９（ｃ）に示すように、流路天井４２２Ａと流路天井４２２Ａの両端から延びた流路横壁４２２Ｂ，４２２Ｃとで、全長に亘って断面をＵ字型に構成されている。なお、Ｕ字断面部４２２は、容器本体１０側のＵ字断面部４１１と異なり、蓋をした状態において断面形状で口の向きが容器本体１０側のＵ字断面部４１１と逆になるように配置されており、図９（ｃ）では断面が逆Ｕ字型に表れている。
【００３８】
流路上側形成部４２０は、蓋体２０の低い部分を構成する箇所に設けられており、蓋側面部２２０から蓋フランジ部２３０の縁へ亘って形成されている。具体的には、水平断面部４２１は、図４（ａ）に示すように、段差形成部２２２の一部を低くして形成されており、Ｕ字断面部４２２は、低い段差形成部２２２から外側へ延びた蓋フランジ部２３０で構成されている。なお、図９（ａ）に示す構成例では、Ｕ字断面部４２２が水平断面部４２１の端より下方にずれて外側へ延びているが、流路天井４２２Ａは水平断面部４２１を延長させて形成されてもよい。
【００３９】
蓋をした状態で、流路上側形成部４２０と流路下側形成部４１０とが近接して配置される。図９（ｂ）に示すように、蓋体２０側の水平断面部４２１が容器本体１０側のＵ字断面部４１１の上に配置されて、これらが上下と左右とを囲う壁面を成して図９（ａ）に示すように容器内側寄りの流路（以下、第１部分と呼ぶ。）を構成する。また、この第１部分より外側では、図９（ｃ）に示すように、蓋体２０側のＵ字断面部４２２が容器本体１０側の平らな水平断面部４１２の上に配置されて、これらが上下と左右とを囲う壁面を成して流路（以下、第２部分と呼ぶ。）を構成する。第１部分と第２部分とが横に連なって、全体で容器内側から容器外側へ向けて空気を直線状に流す通気部４０が構成される。なお、包装用容器１は、流路を構成した状態でその出入口周辺で空気などの流れを遮らないよう、その出入口周辺には他の構成部材が配置されないよう、構成されている。
【００４０】
容器本体１０と蓋体２０とが嵌合の際に密着する領域は、通気部４０から外れた箇所に設けられている。蓋をした状態で、固定部は、通気部４０が配置された箇所を除いて、蓋フランジ部２３０に沿って口まわり全体に設けられている。なお、蓋体２０が容器本体１０から外れることを防止するよう、ロック部を備えてもよい。例えば、突き出た爪部を互いに合わさる面にそれぞれ設けて、これらが掛かるように設ける。
【００４１】
包装用容器１の材料は限定されものではないが、ポリオレフィン系樹脂またはポリエステル系樹脂を利用することができる。本実施形態の包装用容器１は、ＰＥＴ，ＰＰ等の樹脂製のシート材を成型で熱変形させて製造され、さらに全体を透明に構成されている。ヒンジ部は、例えばシート材を容器型に賦形する際に、シート材に切れ目を入れて形成する。なお、包装用容器１は、透明に限らず、透光性を有したり、不透明に構成してもよい。
【００４２】
以下、食料品としてぶどうを挙げて、包装用容器１の使用方法を説明する。
ぶどうを包装する際、包装用容器１を作業台の上で容器本体１０と蓋体２０とがそれぞれ口を上にして横に並ぶように広げ、ぶどうを蓋体２０に入れる。容器本体１０を蓋体２０の横から蓋体２０の上に移動させ、容器本体１０の折り返し部１２５を蓋体２０の口に入れる。これにより、容器本体１０と蓋体２０とが嵌合して、食料品の包装作業が完了する。
【００４３】
なお、包装の際、以下の手順で包装用容器１に蓋をすることができる。まず図１０（ａ）に示すようにぶどうを蓋体２０に入れ、図１０（ｂ）に示すように蓋体２０の上に移動させて容器本体１０に右手を当てる。右手を、底部１１０の手前側の左右の隅周辺に当てた状態で、容器本体１０を蓋体２０側へ押す。これにより、容器本体１０で手前側の左右の隅周辺が蓋体２０に入る。次に、図１０（ｃ）に示すように右手を底部１１０に当てたまま、左手で底部１１０の左奥の隅周辺を蓋体２０と共に押さえて、左奥隅周辺の容器本体１０を蓋体２０に押し込む。これに続けて、図１０（ｄ）に示すように、右手で、底部１１０の右奥の隅周辺を蓋体２０と共に押さえて、右奥隅周辺の容器本体１０を蓋体２０に押し込む。このように容器本体１０の四隅周辺を順番に蓋体２０側へ押して折り返し部１２５全体を蓋体２０に入れる。これにより蓋体２０が容器本体１０に被さるように取り付けられる。
【００４４】
ぶどうを入れた包装用容器１は、容器本体１０の底部１１０を商品カウンターなどに着地させて、蓋体２０を上にした状態で陳列することができる。また、ぶどうを入れた複数の包装用容器１は積み重ねることができ、上の包装用容器１の底部１１０の中央領域部１１２を下の包装用容器１の天面部２１０に載せることができる。
【００４５】
商品カウンターなどに置いた状態で凹凸面がキラキラ輝いて売り場で商品を目立たせ、顧客へのアイキャッチ性を高めることができる。また、蓋側面部２２０は、広い凹凸面があることでぶどうの房の動きを抑えて、容器内側でぶどうを固定でき、見栄えの良い姿勢を維持する。
【００４６】
このようにぶどうを包装した状態で、空気などが通気部４０を通して、容器内側から容器外側へ或いはその逆に流れる。なお、食料品を入れた状態で、図１１に示すように、一方の通気部４０を他方の通気部４０より高い位置に保持するよう、包装用容器１を傾けた姿勢で商品カウンター９０などに置くと、新鮮な空気が下の通気部４０から容器内側へ取り込まれ、食料品から発生するガスなどが上の通気部４０から排気される。なお、図中の９１は商品カウンター９０に置いた台であり、図１１は包装用容器１が台９１の斜面に載って傾いている状態を表している。
【００４７】
顧客が、家庭でぶどうを包装用容器１から取り出す際には、上記の蓋を閉じる手順のときと同様に、天面部２１０を下にして台所カウンターなどに蓋体２０を載せる。このように上下を反転させた姿勢で容器本体１０を蓋体２０から外し、図１０（ａ）に示すように包装用容器１を横に広げて、ぶどうを取り出すことができる。なお、包装用容器１では、ヒンジ部３０の接続部３２を切断して容器本体１０と蓋体２０とを分離すると、蓋体２０は、ぶどうを洗う際のボールとして利用することができる。また、水を切った後、蓋体２０を食事の際のぶどうの器として用いて、テーブルに並べることもできる。
【００４８】
本発明の実施形態の包装用容器１によれば、蓋をした状態で蓋フランジ部２３０の相対する位置にそれぞれ通気部４０を備えていることで、水滴が蓋体内面に付着することや蓋体側面部２２０等が曇ることを抑えて、容器内部の視認性を良好に保つことができ、顧客にぶどうを見映え良く見せることができる。
【００４９】
特許文献１の包装用容器では各部が厚く構成されており、容器本体１０と蓋体２０とが一部で嵌合して蓋をした状態を維持する構成であるが、材料費が嵩む恐れがある。そのため従来の包装用容器をその形態のまま厚みを薄くするようシート材で構成すると、適当な量目のぶどうなどの包装状態では蓋体と容器本体とが嵌合する部分やその周辺が変形したりして適切に包装する形態を維持することができないことが想定される。このような従来技術と比べて、本実施形態の包装用容器１は、蓋をした状態で、通気部４０が設けられる箇所を除いて、蓋フランジ部２３０に沿って、ほぼ口まわりの全体に固定部が設けられるので、容器本体１０と蓋体２０とが合わさった形態を一層維持することができる。
【００５０】
また、本実施形態の包装用容器１では、蓋側面部２２０が広い外周面を構成する全域に亘って非凹凸部２０２が縦或いは横更に上下へと複数連なって凹凸面を成し、この凹凸面が蓋体２０を補強し、剛性を高めている。従来の包装用容器では、蓋体を深絞りに構成するに伴い、蓋体の補強用に側面部の上端から下端までに亘って筋状に延びるリブを複数備えたものが知られている。これらのリブはその長手方向の全体に亘って、狭い幅で丸く曲がった断面を構成し、複数のリブが近接して並んでいると容器内側が見えづらくなる恐れがあった。本実施形態の包装用容器１の蓋側面部２２０では、隣接する複数の非凹凸部２０２がつながる部分、つまり筋部２０２Ａが線状を成し、筋部２０２Ａはリブの丸い断面と比べて極めて幅狭であるため、容器内側のぶどうの視認性を良好に保つことができる。
【００５１】
また、特許文献１に示す従来の包装用容器では各部の構成が厚く、また従来の包装用容器の樹脂材がＯＰＳで構成されたものでは、本実施形態のように破線状のヒンジ部３０を設けると蓋体２０などを移動させる際にヒンジ部が壊れる恐れがある。本実施形態の包装用容器１は、蓋体２０と容器本体１０とが分離可能にヒンジ部３０の切断部３１を介して部分的につながるようＰＥＴなどの樹脂材で構成されているので、図１０（ａ）に示すように包装用容器１を横に広げたり、図１０（ｂ）に示す容器本体１０を蓋体２０に重ねたり、移動することができる。
【００５２】
また、蓋をする際に丸く変形する従来のヒンジ部を備えた包装用容器では、自然と容器本体と蓋体とが横に広がる展開状態へ力が働くため、このような従来の包装用容器を用いてぶどうを包装するときには蓋が閉じるよう手で抑えることが必要であるが、本実施形態の包装用容器１では破線状のヒンジ部３０を備えていることで、蓋を開けた状態、或いは蓋を閉じた状態をそれぞれ手で抑えることなく、維持することができる。これにより、上記の閉蓋の手順と併せて、包装の作業効率を高めることができる。
【００５３】
上記のように振出用の包装用容器１は、房状のぶどうに用途が限られるものではなく、ばらばらのさくらんぼなどを蓋体に所望の量目で入れて粒や細かなものをまとめて包装してもよいし、また粒状以外の食料品の包装に利用することもできる。
【００５４】
本発明の包装用容器は、上記の説明で挙げた構成に限定されるものではない。本発明の包装用容器は、凹凸状の側面部を容器本体に設けて構成されてもよい。また、蓋体を予め容器本体と分離した状態、つまりヒンジ部を設けずに、容器本体と蓋体とが別々に製造されたものでもよいし、蓋体を全く利用しない例えばラップで包装するタイプなどして構成されてもよい。
【００５５】
凹凸面を構成する非凹凸部は、図示例に限らず他の形状のものでもよい。例えば非凹凸部は曲面に構成されてもよい。
【００５６】
包装用容器は通気部を相対する位置に一つずつ配置する構成に限られるものではなく、一方の数と他方の数を異ならせて通気部を配置してもよい。
【００５７】
容器本体と蓋体との嵌合は、蓋体を容器本体の口の内側に密着させる内嵌合式の構造を利用することもできる。この場合、例えば通気部を、図９（ａ）〜図９（ｃ）に示す配置が上下を反転させて構成することができる。
【符号の説明】
【００５８】
１  包装用容器，１０  容器本体，１１０  底部，１１１  周縁領域部，１１２  中央領域部，  １２０  本体側壁部，１２１  折り返し部，１２１Ａ  内壁形成部，１２５  折り返し部，１２５Ａ  頂部，１２５Ｂ  外壁形成部，１３０  本体フランジ部，１５  嵌合部（固定部），２０  蓋体，２１０  天面部，２２０  蓋側面部，２２０Ｆ  前壁部，２２０Ｂ  後壁部，２２０Ｌ  左壁部，２２０Ｒ  右壁部，２２０Ｃ  角部，２２１・２２２  段差形成部，２２２Ａ  水平延長部，２２２Ｂ  下方延長部，２２３  外側対向部，２２３    外側対向部，２３０  蓋フランジ部，２５  嵌合部（固定部），３０  ヒンジ部，３１  切断部，３２  接続部，４０  通気部，４１０  流路下側形成部，４１１・４２２  Ｕ字断面部，４１２・４２１  水平断面部，４２０  流路上側形成部
【図１】
2019048654.tif 000003
【図２】
2019048654.tif 000004
【図３】
2019048654.tif 000005
【図４】
2019048654.tif 000006
【図５】
2019048654.tif 000007
【図６】
2019048654.tif 000008
【図７】
2019048654.tif 000009
【図８】
2019048654.tif 000010
【図９】
2019048654.tif 000011
【図１０】
2019048654.tif 000012
【図１１】
2019048654.tif 000013